(57)【要約】【課題】ドアをキャッチし確実に固定保持することができ、衝撃音がほとんど発生しないばかりでなく、比較的小さな磁力の磁石が使用でき、材料コストの削減と小型化を図ることができるドアストッパーを提供する。【解決手段】ドア１１に取り付けられるキャッチ部１に装着した磁石２が、床１９に取り付けたベース部１２の磁着プレート１３を磁力により挙上して、磁着プレート１３が磁石２に磁着保持されることにより、ドア１１の回動を阻止すると共に、所定の位置に固定保持するようにしたドアストッパーにおいて、キャッチ部１と磁着プレート１３に雌雄嵌合するロック部７を設ける。また、磁石２を保持するキャッチ部１と磁着プレート１３との直接衝突を防止するゴム製Ｏリング（緩衝体）５を設け、磁着プレート１３が倒伏した際の衝撃を緩和すると共に、衝突音を消音する緩衝板１８を設ける。【選択図】  図１
2005213800.tif 000002
【特許請求の範囲】
【請求項１】
ドアに取り付けられるキャッチ部に装着した磁石が、床に取り付けたベース部の磁性体プレートを磁力により挙上して、当該磁性体プレートが前記磁石に磁着保持されることにより、ドアの回動を阻止すると共に、所定の位置に固定保持するようにしたドアストッパーにおいて、前記キャッチ部と磁性体プレートに雌雄嵌合するロック部を設けたことを特徴とするドアストッパー。
【請求項２】
キャッチ部に設けられた磁石保持体と磁性体プレートとの直接衝突を防止する緩衝体を設けたことを特徴とする請求項１記載のドアストッパー。
【請求項３】
ベース部に、磁性体プレートが倒伏した際の衝撃を緩和すると共に、衝突音を消音する緩衝体を設けたことを特徴とする請求項１又は請求項２記載のドアストッパー。
【請求項４】
キャッチ部を、磁石保持体と、これを被覆するカバー体との分割構造にしたことを特徴とする請求項１乃至請求項３のいずれかに記載のドアストッパー。
【発明の詳細な説明】
【技術分野】
【０００１】
本発明は、開放したドアを所定の位置に固定保持するためのドアストッパーに関し、さらに詳しくは、磁力を利用したドアストッパーに関するものである。
【背景技術】
【０００２】
従来からドアを開放した状態で固定保持するためのドアストッパーが種々提案されているが、その中でも、ドアの開き側面の下端に取り付けた永久磁石を装着した吸着金具と、ドアの開放係止位置に、上方のみに回動可能な磁性体プレートを取り付けた係止金具を設け、この磁性体プレートを吸着金具の永久磁石に磁着させてドアを固定するもの（例えば、特許文献１、特許文献２及び特許文献３参照。）。すなわち、磁石の吸着力を利用したドアストッパーがある。
【０００３】
【特許文献１】特開平１１−３５０８２１号公報（第２頁−第３頁、第１図）
【特許文献２】特開２０００−５４７１４号公報（第２頁−第３頁、第１図）
【特許文献３】特開２００２−１４７０９３号公報（第２頁−第９頁、第２図）
【発明の開示】
【発明が解決しようとする課題】
【０００４】
つまり、上記のような磁石を利用したドアストッパーは、ドア側と床側に磁石と磁性体を配置して、これらが近接すると、双方が吸着してドアを保持するようにしている。このため下記のような問題があった。
（１）ドアの係止力が磁石の磁力強度に左右されるため、保持力に応じた磁石が必要になる。すなわち、ドアを強固に固定保持したい場合は強力な磁石が必要になる。
（２）係止力以上の外力がドアに加わった場合（例えば、使用者が不意にドアを引いたり倒れ掛かったりした場合や強風等により）ドアが急に開放し、怪我や破損が起こる危険がある。
（３）磁石が磁性体プレートを吸着する際、あるいは磁石から磁性体プレートを外した際に、ベースに接触して衝撃音（騒音）が発生する。
また、キャッチ部への磁石の取り付け構造上の問題として下記のような問題があった。
（４）磁石の取付加工が完全でないと磁石が脱落するおそれがある。そこで、キャッチ部本体に磁石を嵌入して固定する手段として、嵌入口凹部の周辺をプレス機で押圧し変形させるのであるが、キャッチ部は美観上、焼付け塗装が施されるが、この場合、磁石を加熱すると、磁力が著しく低下するので、磁石の固定作業は、通常焼付け塗装後に行われる。したがって、プレスする際に、その圧力により塗装面にキズが付くことが多く、キズの付いた商品を再生するには手間が係るので、廃棄されており不経済であった。
（５）さらに外観の問題として、キャッチ部本体をドアに取り付ける際に、取付ネジが露見するので美観を損ねる。
【課題を解決するための手段】
【０００５】
そこで本発明では、ドアに取り付けられるキャッチ部に装着した磁石が、床に取り付けたベース部の磁性体プレートを磁力により挙上して、当該磁性体プレートが前記磁石に磁着保持されることにより、ドアの回動を阻止すると共に、所定の位置に固定保持するようにしたドアストッパーにおいて、前記キャッチ部と磁性体プレートに雌雄嵌合するロック部を設けたことを第１の特徴とする。また、キャッチ部に設けられた磁石保持体と磁性体プレートとの直接衝突を防止する緩衝体を設けたことを第２の特徴とする。さらに、ベース部に、磁性体プレートが倒伏した際の衝撃を緩和すると共に、衝突音を消音する緩衝体を設けたことを第３の特徴とする。またさらに、キャッチ部を、磁石保持体と、これを被覆するカバー体との分割構造にしたことを第４の特徴とする。
【発明の効果】
【０００６】
本発明は、以下の優れた効果を有する。
（１）キャッチ部と磁性体プレートに雌雄嵌合するロック部を設けたので、簡単な構造でドアをキャッチするだけでなく確実に固定保持することができ安全である。
（２）ドアのロック時及びロック解除時の衝撃音（騒音）がほとんど発生しない。
（３）ドアをキャッチ部にロックする際は、ドア又はドアノブを押圧して行ない、ロック解除はつま先でプレートの押圧片を踏込んで行なうので、どちらも使用者が体勢を変える（例えば、かがみ込む姿勢をとる）ことなく操作できる。
（４）ベース部を磁着プレート部と緩衝板に分割したことにより、取り付け位置の自由度が増す。（緩衝板の厚さを変えることで、キャッチ部の取付け位置調整不足を補足できる）。
（５）キャッチ部を分割して、カバーすることにより美観が良好になる。また、使用によりキズや破損が生じてもカバーのみを交換するだけで済み、取り付けが簡便で経済的である。
（６）磁石の磁力はプレートを吸引する力のみで済むので、比較的小さな磁力の磁石が使用でき、材料コストの削減とドアストッパー装置全体の小型化を図ることができる。
【発明を実施するための最良の形態】
【０００７】
次に、本発明の実施の形態を図面に示す実施例に基づいて説明する。
図１は本発明に係るドアストッパーを示す斜視図、図２はキャッチ部本体の構造を示す（ａ）は側面図、（ｂ）は（ａ）のＡ−Ｂ線矢視図、（ｃ）は（ａ）のＣ−Ｄ線矢視図、図３はキャッチ部をドアに取り付けた状態を示す（ａ）は側面図、（ｂ）は（ａ）のＥ−Ｆ線矢視図、（ｃ）は（ａ）の一部拡大図、図４はベース部の分解斜視図、図５はプレートの支軸部を示す（ａ）は一部切欠平面図、（ｂ）は（ａ）のＧ−Ｈ線断面図、（ｃ）は（ａ）の支軸受部の下部補強板を省略したＧ−Ｈ線断面図、図６はドアストッパーの可動状態を示す説明図、図７は図６のＩ−Ｊ線矢視図、図８はキャッチ部を示す分解側面図、図９はドアにキャッチ部を取り付けた状態を示す（ａ）は側面図、（ｂ）は正面図、（ｃ）は平面図、図１０はキャッチ部の緩衝体の他の実施例を示す要部拡大断面図、図１１は床へのベース本体の取付位置を示す一部平面断面図である。
【実施例】
【０００８】
図１及び図２に示すように、本発明に係るドアストッパーは、ゴム製の緩衝板（緩衝体）８を介してドア１１に取付ネジ１０でもって取付けられるキャッチ部１と、床面１９に取り付けられるベース部１２とから構成されている。ここで、ベース部１２は、図１１に示すように、通常はドア１１のドアノブ１１ａと壁Ｗとに生じる間隙Ｌ１の所定の位置、すなわち、ノブ下方で、後述する磁着プレート１３の足踏用押圧ペダル１４を使用者がつま先で押圧可能な範囲に設置される。
【０００９】
キャッチ部１には、左右に張り出した矩形状の取付用鍔部１ａ及び下方に突出した突起部７が一体的に形成されており、キャッチ面６は取付用鍔部１ａに対して下方に傾斜して設けられている。また、左右の鍔部１ａには、その縦方向に各々ビス止め用の長孔９が穿孔され、ドア１１へのキャッチ部１の上下方向における取り付け位置の微調整ができるようにされている。
【００１０】
キャッチ面６には、円筒形状の永久磁石２を嵌装するための筒状凹所３が形成されると共に、その外周面に、緩衝体としてのゴム製のＯリング５を嵌装するための環状凹所４が形成されている。ここで、図３（Ｃ）に示すように、環状凹所４開口幅ｄ２をＯリング５の肉厚径ｄ１よりも小にしておけば、環状凹所４に一旦嵌め込んだＯリング５は通常の使用状態において脱落することは無い。
【００１１】
キャッチ部１のロック部７は、キャッチ面６の傾斜方向と逆方向に傾斜する傾斜面７ａとキャッチ面６に対して直角面又は鋭角面７ｂとからなる略三角爪状に形成されている。尚、緩衝体５としてはＯリング状に限らず図２（Ｃ）に示すような、球状又は柱状ゴム４ａや棒状ゴム４ｂを、キャッチ面６の一部分に設けるものでも所期の効果は達成できる。しかしながら、Ｏリング状の場合、後述するプレート１３との接触面積が広くなるので、損傷も少なく劣化も遅くなるという利点がある。また、これらの緩衝体はゴム以外の材質、例えば、ウレタン、軟質プラスチック等でも適することは言うまでもない。
【００１２】
すなわち、Ｏリング５の取付け位置は、後述する磁着プレート１３が磁石２の磁力によりキャッチ部１に磁着する前に、キャッチ部１と衝突することを防止できる位置に取付けられるものであれば良く、材質、大きさともに任意である。
【００１３】
磁石２は筒状凹所３に嵌入した後、図３（ｂ）に示すように、筒状凹所３の入口周辺３ａを数箇所プレス機等で押し潰し変形させて、磁石２が脱落しなうように固定する。この場合、接着剤を使用して直接貼着するものでもよい。キャッチ部１の先端は、図３（ｃ）に示すように、面取りカット（１ｃ）され、磁着プレート１３がキャッチ部１に磁着される時に、磁着プレート１３がＯリング５よりも先にキャッチ部１の先端部に当接しないようにすることで衝突音の発生を防止している。
【００１４】
ベース本体１２のプレート収納孔１５に磁着プレート１３を下方より挿入して、支軸受部１７の下部補強板１７ａを補強板嵌入凹部１７ｂに嵌入したベース本体下部緩衝体１８とを当接させて床面１９上に取付ネジ２１で固定する。尚、磁着プレート１３には、その側方に延出して、足踏み用の押圧ペダル１４が一体的に設けられ、ロック解除はつま先で磁着プレート１３の押圧ペダル１４を踏込んで行なうことができ使用者は体勢を変える（例えば、かがみ込む姿勢をとる）ことなく操作できるようにされている。尚、当然のことながらドアの開放方向の違いにより磁着プレート１３への押圧ペダル１４の取付け位置は逆になる。
【００１５】
磁着プレート１３の基端１６は、基端を半円弧状に形成して回転が容易にできるようにされている。
支持受部１７の上部１７ｃの厚さＬ７は、磁着プレート１３が挙上された時にプレート支軸１６及び支軸受け部１７が逸脱しない程度の強度があれば、薄いほど良く。当然ながらベース本体１２の厚さも薄くなるので、床面１６から比較的低い位置に取付けることができる。
【００１６】
磁着プレート収納口１５の支持受部１７側における支持受部の庇部１７ｃには、内側に斜傾したカット部１７ｄが形成され、磁着プレート１３の起立を容易にしている。ここで、ベース本体下部緩衝板１８には補強板嵌入凹部１７ｂが設けられ支軸受部下部補強板１７ａが嵌め込まれている。尚、緩衝材が耐摩耗性に優れている場合は、図５（ｃ）に示すように、支軸受部下部補強板１７ａ及び補強板嵌入凹部１７ｂを省略して、ベース本体１２を直接接合して床面１９に設置するようにしてもよい。
【００１７】
図６（ａ）に示すように、ドア１１が開放されドアキャッチ部１が、床面１９に固定されたベース本体１に近接してき、直上に達すると、キャッチ部本体１に嵌装されている磁着プレート１３が、磁石２により磁着されて起立する（ｂ）。そして、さらにドア１１が開放され移動すると、磁着プレート１３の先端部１３ｂがロック爪部７の傾斜面７ａを摺動しながら移動し、磁着プレート１３の切欠き１３ａにロック爪部７が係止される。この場合、図７に示ように、取付用鍔部１ａの開口部１ｂの横幅Ｌ２とプレート１３の横幅Ｌ３の関係はＬ２＞Ｌ３、プレート１３の切り欠き幅Ｌ６とロック爪部７の長さＬ４と緩衝体８とプレート１３の先端との間隙Ｌ５との比率は、Ｌ６＞Ｌ４＋Ｌ５としている。
【００１８】
次に本発明の他の実施例について説明する。
図８及び図９に示すように、キャッチ部１は、磁石２５を装填するキャッチ部本体２２と、これを被覆するカバー３１に分割して形成されている。キャッチ部本体２２の円筒状の磁石嵌入口２６の下端には、内側に若干張り出した係止鍔部２６ａが設けられている。ここで、カバー３１はキャッチ部本体２２に取付ネジ３４によって着脱自在に取り付けられるが、カバー３１の側面に穿かれた透孔３３の径は、取付ネジ３４のネジ頭径より大きく且つ取付ネジ３４のワッシャーが嵌入できる程度の余裕をもって形成されると共に、ネジ頭が隠蔽される深さに形成され、さらに、取付ネジ３４の通し孔３３ａが形成できる範囲に設けられている。すなわち段付きのネジ孔を設けることで、取付ネジ３４を隠蔽して外観上の美観が良好になる。尚、図９の（ｂ）図及び（ｃ）図については、便宜上キャッチ部本体２２の詳細構造を省略した。
【００１９】
キャッチ部本体２２には、取付ネジ３４に対応する雌ネジ２７が形成されている。カバー３１のキャッチ部本体２２との嵌合凹部３１ａとの間隙には遊びが設けられており、嵌合凹部３１ａの磁石２５の上部にあたる位置には、磁石２５を下方に押圧するための円形の凸部３２が設けられている。この場合、３２の直径が磁石２５の直径よりも小であることは無論のことである。また、カバー３１の最先端部分は、キャッチ部本体２２に先端カット部２２ａが設けられると共に、キャッチ部本体２２の最先端部よりも上方になるように取り付けられ、磁着プレート１３によるカバー３１の損傷と磁着プレート１３が磁着された時にＯリング２４よりも先に、カバー３１の先端に当接して衝突音が発生するのを防止できるようにされている。
【００２０】
取付けネジ３４のねじ込み方向は、床１９あるいはドア１１方向に設けることが好ましい。これにより、磁石２５はカバ−３１の凸部３２によって確実に押圧されるばかりでなく、カバー３１もキャッチ部本体２２に整合できる。
【００２１】
尚、カバー３１とキャッチ部本体２２に凹凸を設けて雌雄嵌合させたり、カバー３１とキャッチ部本体２２の一方に爪部を他方に係止部を設けて取付けるようにしてもよい。また、緩衝体の取付け方法としては、図１０に示すように、キャッチ部下部３６にテーパ状の穴３６ａを設け、例えば、断面が台形状の緩衝体３５をカバー本体３７の凸部３７ａで押圧するようにしてもよい。
【００２２】
さらに、プレート１３の表面は防錆と摩擦を少なくするために鍍金等の表面処理を施したほうがよい、また、当然のことながら安全上、美観上から角部分は丸く成形したほうがよい。
【産業上の利用可能性】
【００２３】
本発明に係るドアストッパーは、歩行中に誤って蹴つまずいてしまったり、キャビネット等の運搬物などの移動を安全に行なうことができ、しかもドア周辺の美観を向上できる。
【図面の簡単な説明】
【００２４】
【図１】本発明に係るドアストッパーを示す斜視図である。
【図２】キャッチ部本体の構造を示す（ａ）は側面図、（ｂ）は（ａ）のＡ−Ｂ線矢視図、（ｃ）は（ａ）のＣ−Ｄ線矢視図である。
【図３】キャッチ部をドアに取り付けた状態を示す（ａ）は側面図、（ｂ）は（ａ）のＥ−Ｆ線矢視図、（ｃ）は（ａ）の一部拡大図である。
【図４】ベース部の分解斜視図である。
【図５】プレートの支軸部を示す（ａ）は一部切欠平面図、（ｂ）は（ａ）のＧ−Ｈ線断面図、（ｃ）は（ａ）の支軸受部の下部補強板を省略したＧ−Ｈ線断面図である。
【図６】ドアストッパーの可動状態を示す説明図である。
【図７】図６のＩ−Ｊ線矢視図である。
【図８】キャッチ部を示す分解側面図である。
【図９】ドアにキャッチ部を取り付けた状態を示す（ａ）は側面図、（ｂ）は正面図、（ｃ）は平面図である。
【図１０】キャッチ部の緩衝体の他の実施例を示す要部拡大断面図である。
【図１１】床へのベース本体の取付位置を示す一部平面断面図である。
【符号の説明】
【００２５】
１    キャッチ部（磁石保持体）
１ａ  取付用鍔部
１ｂ  取付用鍔部の開口部
１ｃ  キャッチ部の先端部（カット部）
２    磁石
３    筒状凹所（磁石嵌装部）
３ａ  筒状凹所入口周辺のプレス箇所
４    Ｏリング嵌入孔
４ａ  球状又は柱状ゴム（緩衝体）
４ｂ  棒状ゴム（緩衝体）
５    ゴム製Ｏリング（緩衝体）
６    キャッチ部の下面
７    ロック部
７ａ  ロック部の傾斜面
７ｂ  ロック部のキャッチ面に対する直角面又は鋭角面
８    キャッチ部とドアとの間の緩衝板
９    キャッチ部の取付ネジ孔（長孔）
９ａ  緩衝板の取付ネジ孔（長孔）
１０  キャッチ部の取付ネジ
１１  ドア
１１ａドアノブ
１２  ベース本体
１３  磁着プレート
１３ａ磁着プレートの切欠き
１３ｂ磁着プレートの先端
１４  足踏み用押圧ペダル
１５  磁着プレート収納口
１６  磁着プレートの支軸
１７  支軸受部
１７ａ支軸受部の補強板
１７ｂ補強板の嵌入凹所
１７ｃ支軸受部の庇部
１７ｄ支軸受部のカット部（傾斜面）
１８  ベース部の緩衝板
１９  床
２０  ベース本体取付ネジ孔
２０ａベースの緩衝板取付ネジ孔
２１  ベース本体取付ネジ
２２  キャッチ部本体（磁石保持体）
２２ａ先端カット部
２３  ゴム製Ｏリング嵌入孔
２４  Ｏリング（緩衝体）
２５  磁石
２６  筒状凹所（磁石嵌装部）
２６ａ筒状凹所の下端鍔部
２７  カバー本体の雌ネジ孔
２８  キャッチ部本体の取付用ネジ
２９  キャッチ部本体とドアとの間の緩衝板
２９ａ緩衝板の取付ネジ孔（長孔）
３０  キャッチ部本体の取付用ネジ孔（長孔）
３１  カバー本体
３１ａキャッチ部本体との嵌合凹所
３２  押圧凸部
３３  ネジ隠し孔
３３ａねじ挿通孔
３４  カバー用取付ネジ
３５  緩衝体
３６  キャッチ部下部
３６ａテーパ状の穴
３７  カバー本体
３７ａ押圧凸部
Ｗ    壁
Ｌ１  壁とドアの間隙
Ｌ２  取付用鍔部の開口部の幅
Ｌ３  磁着プレートの幅
Ｌ４  ロック部の長さ
Ｌ５  磁着プレートと緩衝体との間隙
Ｌ６  磁着プレートの切欠きの長さ
Ｌ７  支軸受部の庇部の厚さ
ｄ１  Ｏリングの肉厚径
ｄ２  環状凹所の開口幅
【図１】
2005213800.tif 000003
【図２】
2005213800.tif 000004
【図３】
2005213800.tif 000005
【図４】
2005213800.tif 000006
【図５】
2005213800.tif 000007
【図６】
2005213800.tif 000008
【図７】
2005213800.tif 000009
【図８】
2005213800.tif 000010
【図９】
2005213800.tif 000011
【図１０】
2005213800.tif 000012
【図１１】
2005213800.tif 000013
【手続補正書】
【提出日】平成16年10月6日(2004.10.6)
【手続補正１】
【補正対象書類名】特許請求の範囲
【補正対象項目名】全文
【補正方法】変更
【補正の内容】
【特許請求の範囲】
【請求項１】
ドアに取り付けられるキャッチ部に装着した磁石が、床に取り付けたベース部の磁性体プレートを磁力により挙上して、当該磁性体プレートが前記磁石に磁着保持されることにより、ドアの回動を阻止すると共に、所定の位置に固定保持するようにしたドアストッパーにおいて、前記キャッチ部と磁性体プレートに雌雄嵌合するロック部を設けたことを特徴とするドアストッパー。
【請求項２】
キャッチ部に設けられた磁石保持体と磁性体プレートとの直接衝突を防止する緩衝体を設けたことを特徴とする請求項１記載のドアストッパー。
【請求項３】
ベース部に、磁性体プレートが倒伏した際の衝撃を緩和すると共に、衝突音を消音する緩衝体を設けたことを特徴とする請求項１又は請求項２記載のドアストッパー。
【請求項４】
キャッチ部を、磁石保持体と、これを被覆するカバー体との分割構造にしたことを特徴とする請求項１乃至請求項３のいずれかに記載のドアストッパー。
【請求項５】
磁性体プレートに足踏み用の押圧ペダルを設けたことを特徴とする請求項１乃至請求項４のいずれかに記載のドアストッパー。
【手続補正２】
【補正対象書類名】明細書
【補正対象項目名】０００５
【補正方法】変更
【補正の内容】
【０００５】
そこで本発明では、ドアに取り付けられるキャッチ部に装着した磁石が、床に取り付けたベース部の磁性体プレートを磁力により挙上して、当該磁性体プレートが前記磁石に磁着保持されることにより、ドアの回動を阻止すると共に、所定の位置に固定保持するようにしたドアストッパーにおいて、前記キャッチ部と磁性体プレートに雌雄嵌合するロック部を設けたことを第１の特徴とする。また、キャッチ部に設けられた磁石保持体と磁性体プレートとの直接衝突を防止する緩衝体を設けたことを第２の特徴とする。さらに、ベース部に、磁性体プレートが倒伏した際の衝撃を緩和すると共に、衝突音を消音する緩衝体を設けたことを第３の特徴とする。またさらに、キャッチ部を、磁石保持体と、これを被覆するカバー体との分割構造にしたことを第４の特徴とし、磁性体プレートに足踏み用の押圧ペダルを設けたことを第５の特徴とする。
【手続補正書】
【提出日】平成17年3月9日(2005.3.9)
【手続補正１】
【補正対象書類名】明細書
【補正対象項目名】０００９
【補正方法】変更
【補正の内容】
【０００９】
キャッチ部１には、左右に張り出した矩形状の取付用鍔部１ａ及び下方に突出したロック部７が一体的に形成されており、キャッチ面６は取付用鍔部１ａに対して下方に傾斜して設けられている。また、左右の鍔部１ａには、その縦方向に各々ビス止め用の長孔９が穿孔され、ドア１１へのキャッチ部１の上下方向における取り付け位置の微調整ができるようにされている。
【手続補正２】
【補正対象書類名】明細書
【補正対象項目名】００１５
【補正方法】変更
【補正の内容】
【００１５】
磁着プレート１３の基端１６は、基端を半円弧状に形成して回転が容易にできるようにされている。
支持受部１７の上部１７ｃの厚さＬ７は、磁着プレート１３が挙上された時にプレート支軸１６及が支軸受け部１７から逸脱しない程度の強度があれば、薄いほど良く。当然ながらベース本体１２の厚さも薄くなるので、床面１９から比較的低い位置に取付けることができる。
【手続補正３】
【補正対象書類名】明細書
【補正対象項目名】００１７
【補正方法】変更
【補正の内容】
【００１７】
図６（ａ）に示すように、ドア１１が開放されドアキャッチ部１が、床面１９に固定されたベース本体１に近接してゆき、磁着プレート１３の先端１３ｂに近づくと、磁着プレート１３はキャッチ部本体１に嵌装されている磁石２により磁着されて起立する（ｂ）。そして、さらにドア１１が開放され移動すると、磁着プレート１３の先端部１３ｂがロック部７の傾斜面７ａを摺動しながら移動し、磁着プレート１３の切欠き１３ａにロック部７が係止される。この場合、図２（ｂ）及び図７に示すように、取付用鍔部１ａの開口部１ｂの横幅Ｌ２とプレート１３の横幅Ｌ３の関係はＬ２＞Ｌ３、プレート１３の切り欠き幅Ｌ６とロック部７の長さＬ４と緩衝体８とプレート１３の先端との間隙Ｌ５との比率は、Ｌ６＞Ｌ４＋Ｌ５としている。
【手続補正４】
【補正対象書類名】明細書
【補正対象項目名】００１８
【補正方法】変更
【補正の内容】
【００１８】
次に本発明の他の実施例について説明する。
図８及び図９に示すように、キャッチ部１は、磁石２５を装填するキャッチ部本体２２と、これを被覆するカバー３１に分割して形成されている。キャッチ部本体２２の円筒状の磁石嵌入口２６の下端には、内側に若干張り出した係止鍔部２６ａが設けられている。ここで、カバー３１はキャッチ部本体２２に取付ネジ３４によって着脱自在に取り付けられるが、カバー３１の側面に穿かれたネジ隠し孔３３の径は、取付ネジ３４のネジ頭径より大きく且つ取付ネジ３４のワッシャーが嵌入できる程度の余裕をもって形成されると共に、ネジ頭が隠蔽される深さに形成され、さらに、取付ネジ３４のネジ挿通孔３３ａが形成できる範囲に設けられている。すなわち段付きのネジ孔を設けることで、取付ネジ３４を隠蔽して外観上の美観が良好になる。尚、図９の（ｂ）図及び（ｃ）図については、便宜上キャッチ部本体２２の詳細構造を省略した。
【手続補正５】
【補正対象書類名】明細書
【補正対象項目名】００１９
【補正方法】変更
【補正の内容】
【００１９】
キャッチ部本体２２には、取付ネジ３４に対応する雌ネジ２７が形成されている。カバー３１のキャッチ部本体２２との嵌合凹部３１ａとの間隙には遊びが設けられており、嵌合凹部３１ａの磁石２５の上部にあたる位置には、磁石２５を下方に押圧するための円形の押圧凸部３２が設けられている。この場合、押圧凸部３２の直径が磁石２５の直径よりも小であることは無論のことである。また、カバー３１の最先端部分は、キャッチ部本体２２に設けられた先端カット部２２ａの最先端部よりも上方になるように取り付けられ、磁着プレート１３によるカバー３１の損傷と磁着プレート１３が磁着された時にＯリング２４よりも先に、カバー３１の先端に当接して衝突音が発生するのを防止できるようにされている。